(57)【特許請求の範囲】
【請求項１】
横断面弯曲状で縦長の硬質保護板（５）と、該保護板（５）の裏面（５Ａ）に取着される被覆部材（１）とを、備え、
上記保護板（５）の裏面（５Ａ）側に於て、上記被覆部材（１）に穴部（２）が形成され、該穴部（２）と上記裏面（５Ａ）の露出面をもって凹所（６）を形成し、該凹所（６）の左右の少なくとも一方の外端位置に、上記保護板（５）と上記被覆部材（１）を非固着状として開口部（８）を形成し、
上記被覆部材（１）を下腿部（３０）に巻設した装着状態で、上記保護板（５）の上記裏面（５Ａ）側に、上記凹所（６）によって空間部（９）を形成し、かつ、上記開口部（８）によって、上記空間部（９）の空気の出入口となる通気孔部（４）が形成されるように構成したことを特徴とするレッグガード。
【請求項２】
上記保護板（５）は、表て面（５Ｂ）に複数の突隆部（２５）を有し、上記突隆部（２５）の裏面側には凹窪部（２４）が形成され、
上記穴部（２）を除く上記被覆部材（１）の表て面と、上記保護板（５）の上記裏面（５Ａ）との間に、上記凹窪部（２４）によって、間隙部（１８）を形成し、
装着状態で、使用者の運動に伴う上記被覆部材（１）の変形により生じるポンプ作用によって、上記間隙部（１８）の空気を押出吸引可能とした請求項１記載のレッグガード。
【請求項３】
上記被覆部材（１）の左右の少なくとも一方の外側端縁（１４）には、上下方向に細長の被覆片（１０）が付設され、該被覆片（１０）に凹状弯曲部（１０Ａ）が形成され、該凹状弯曲部（１０Ａ）によって、上記被覆部材（１）の上記外側端縁（１４）と上記被覆片（１０）が離間した窓部（１７）（１７）が形成されている請求項１又は２記載のレッグガード。
【発明の詳細な説明】
【技術分野】
【０００１】
本発明は、レッグガードに関する。
【背景技術】
【０００２】
従来、野球やソフトボール等の競技に於て、打者が下腿部を自打球の衝撃から保護するために装着するレッグガードが知られている（特許文献１参照）。
【先行技術文献】
【特許文献】
【０００３】
【特許文献１】特開平１１−１１４１２５号公報
【発明の概要】
【発明が解決しようとする課題】
【０００４】
しかし、特許文献１記載のレッグガードは、横断面Ｃ字状に弯曲させた１枚の被覆部材をもって、膝下から足首にわたって被覆するものである為、通気性が悪く、レッグガードを装着してプレーしている時に使用者が発汗してレッグガードの裏面側に蒸れが発生すると、不快感を感じて快適にプレーできない虞れがあり、使用者がプレーに集中できないという欠点があった。
【０００５】
そこで、本発明は、通気性に優れ、発汗によって生ずる蒸れを軽減し得るレッグガードを提供することを目的とする。
【課題を解決するための手段】
【０００６】
本発明に係るレッグガードは、横断面弯曲状で縦長の硬質保護板と、該保護板の裏面に取着される被覆部材とを、備え、上記保護板の裏面側に於て、上記被覆部材に穴部が形成され、該穴部と上記裏面の露出面をもって凹所を形成し、該凹所の左右の少なくとも一方の外端位置に、上記保護板と上記被覆部材を非固着状として開口部を形成し、上記被覆部材を下腿部に巻設した装着状態で、上記保護板の上記裏面側に、上記凹所によって空間部を形成し、かつ、上記開口部によって、上記空間部の空気の出入口となる通気孔部が形成されるように構成したものである。
【０００７】
また、上記保護板は、表て面に複数の突隆部を有し、上記突隆部の裏面側には凹窪部が形成され、上記穴部を除く上記被覆部材の表て面と、上記保護板の上記裏面との間に、上記凹窪部によって、間隙部を形成し、装着状態で、使用者の運動に伴う上記被覆部材の変形により生じるポンプ作用によって、上記間隙部の空気を押出吸引可能としたものである
。
また、上記被覆部材の左右の少なくとも一方の外側端縁には、上下方向に細長の被覆片が付設され、該被覆片に凹状弯曲部が形成され、該凹状弯曲部によって、上記被覆部材の上記外側端縁と上記被覆片が離間した窓部が形成されているものである。
【発明の効果】
【０００８】
本発明のレッグガードによれば、通気性を向上でき、発汗による蒸れを軽減して、違和感なく快適にプレーできる。下腿部と硬質保護板との間の熱を逃がし、かつ、下腿部と硬質保護板の間に外気を取り込んで、下腿部を冷却できる。
【図面の簡単な説明】
【０００９】
【図１】本発明の実施の一形態の装着状態を示した側面図である。
【図２】本発明の実施の一形態の装着状態を示した斜視図である。
【図３】未装着状態のレッグガードを平面的に展開した背面図である。
【図４】図１のＡ−Ａ断面図である。
【図５】図１のＢ−Ｂ断面図である。
【図６】図１のＣ−Ｃ断面図である。
【図７】本発明の他の実施形態の装着状態を示した側面図である。
【図８】本発明の他の実施形態の装着状態を示した斜視図である。
【図９】未装着状態のレッグガードを平面的に展開した背面図である。
【発明を実施するための形態】
【００１０】
以下、実施の形態を示す図面に基づき本発明を詳説する。
本発明のレッグガードは、野球やソフトボール等の球技に於て、打者が装着する打者用レッグガードであって、自打球の衝撃から足を保護するものである。一般に、自打球は、打者が投手側に踏み出す足の内側面から前面に当たることが多いため、右打ちの打者は、左足Ｌにレッグガードを装着し、左打ちの打者は、右足Ｒにレッグガードを装着して、バッターボックスに入る。図１と図２は、右足Ｒに左打者用のレッグガードを装着した状態を示している。
【００１１】
図１〜図３に示すように、本発明のレッグガードは、横断面弯曲状で縦長の硬質保護板５と、保護板５の裏面５Ａに取着される被覆部材１とを、備えている。
保護板５は、硬質樹脂製であって、例えば、ポリエチレンから成る。保護板５は、上端縁部、下端縁部、及び、左右方向両端縁部に配設した複数のリベット４９によって、被覆部材１を固着している。また、保護板５には、上下一対の締付ベルト４０，４０が付設されている。締付ベルト４０，４０は、プラスチック製の連結具によって切離自在であって、締付ベルト４０，４０の両端部は、保護板５の両端縁部にリベット４９によって固着されている。図２に示すように、保護板５は、装着状態で、下腿部３０の内側面から前面をボールの衝撃から守るように（下腿部３０の内側を覆うように偏在して）取付けられている。
図４〜図６に示すように、被覆部材１は、表皮３１と、発泡体３２と、裏生地３３とを、順次積層し、その外周縁に縁巻部３４が縫着されて一体状に形成されている。被覆部材１は、保護板５と下腿部３０の間に介装され、発泡体３２のクッション性によって、下腿部３０をボールの衝撃から保護し、かつ、下腿部３０の表面に優しく当接して装着時のフィット感を向上させている。
【００１２】
図３に示すように、保護板５の裏面５Ａ側に於て、被覆部材１に穴部２が形成され、穴部２と裏面５Ａの露出面をもって凹所６を形成している。凹所６の左右の少なくとも一方の外端位置には、保護板５と被覆部材１を非固着状として開口部８を形成している。
保護板５は、裏面５Ａ側から見て右側の側端縁部の上下方向中間位置に、被覆部材１で覆われていない箇所が有り、保護板５の右側端縁部には、リベット４９が設けられていない。この保護板５の裏面５Ａの右側端縁部を、保護板５と被覆部材１の「非固着部」とし、この非固着部に生じる保護板５と被覆部材１の隙間によって、開口部８が形成されている。また、保護板５の裏面５Ａ側から見て、保護板５と被覆部材１の非固着部の反対の左側端縁部では、被覆部材１に穴部２形成用の切込部２９が形成され、上下一対のリベット４９，４９によって固着されている。図例では、切込部２９は当接して閉鎖されているが、上端縁部と下端縁部を相互に離間して分離部を形成しても良く、あるいは、切込部２９を省略して上端縁部と下端縁部を連続状に形成しても良い。その場合、穴部２は、完全に周囲が閉じた穴となる。
【００１３】
図１と図２に示すように、被覆部材１を下腿部３０に巻設した装着状態で、保護板５の裏面５Ａ側に、凹所６によって空間部９を形成している（図５参照）。また、開口部８によって、空間部９の空気の出入口となる通気孔部４が形成されている。
つまり、空間部９は、装着状態下で、凹所６による被覆部材１と下腿部３０の非接触箇所に対応して形成されている。また、装着状態下で、被覆部材１が下腿部３０に巻設されて弯曲することで、保護板５と被覆部材１の非固着部にて隙間が大きく開いて、開口部８を構成する保護板５と被覆部材１が大きく離間し、通気孔部４が形成されている。なお、通気孔部４に於て、保護板５の裏面５Ａと下腿部３０との隙間ｄ（図５参照）の大きさと被覆部材１の厚さ寸法は、略等しい。なお、本発明に於て、装着状態では、使用者の運動に伴って、発泡体３２を具備する被覆部材１が圧縮変形し、その厚さ寸法は常時一定ではなく変化するため、隙間ｄと被覆部材１の厚さ寸法は「“略”等しい」としている。
通気孔部４によって、空間部９が外部空間と連通することとなり、空気が入れ替わることで熱を排出して、なおかつ、空間部９に外気を取り込んで空間部９の湿気を逃がして蒸れを防止するように構成されている。
【００１４】
図１と図２に示すように、保護板５は、表て面５Ｂに複数の突隆部２５を有し、図３に示すように、突隆部２５の裏面側には凹窪部２４が形成されている。
突隆部２５は、３個形成され、上方から下方に向かうにつれて次第に大きさが小さくなるように形成されている。また、上下に隣接する突隆部２５，２５を連結するリブ３５，３５を備え、リブ３５，３５の裏面側には溝部３６，３６が形成されている。
保護板５の裏面５Ａに於て、凹所６は、複数個（３個）の内の１つの凹窪部２４に対応して形成されている。この構成によれば、凹所６の深さ寸法が大きく確保でき、装着状態に於て、通気孔部４の大きさよりも分厚い凹所６によって形成される空間部９の体積が増大し、通気孔部４による換気機能が一層効率的に発揮される。
【００１５】
図４と図６に示すように、穴部２を除く被覆部材１の表て面と、保護板５の裏面５Ａとの間に、凹窪部２４によって、間隙部１８を形成している。装着状態で、使用者の運動に伴う被覆部材１の変形により生じるポンプ作用によって、間隙部１８の空気を押出吸引可能として構成されている。
装着状態下で、下腿部３０の筋肉の動き等により被覆部材１が裏面側から押されて間隙部１８の体積が減少すると、間隙部１８の内の空気が押し出される。これを、被覆部材１の「ポンプ作用」とし、このポンプ作用により、間隙部１８，１８から空間部９に送り出された空気は、熱と湿気と共に通気孔部４から排出される。溝部３６，３６は、間隙部１８と空間部９を行き交う空気の通路となっている。なお、装着状態で、被覆部材１の圧縮変形によって、保護板５の裏面５Ａと下腿部３０との間の間隔が狭くなり、空間部９の体積が減少して、それ自体がポンプ作用を発揮するように構成されている。従って、保護板５の裏面５Ａ側に於て、空間部９のみならず、被覆部材１の表て面と保護板５の裏面５Ａとの間隙部１８，１８の熱と湿気を、空気と共に通気孔部４から排出して、より一層効率的に蒸れを防止するように構成されている。
【００１６】
図１〜図３に示すように、被覆部材１の左右の少なくとも一方の外側端縁１４には、上下方向に細長の被覆片１０が付設されている。被覆片１０には、凹状弯曲部１０Ａが形成され、凹状弯曲部１０Ａによって、被覆部材１の外側端縁１４と被覆片１０が離間した窓部１７，１７が形成されている。
被覆片１０は、下腿部３０の外側面を自打球から保護すると共に、被覆部材１及び被覆片１０と下腿部３０の間の空気の出入口となる窓部１７，１７を形成して、その換気機能によって、蒸れを防止している。
被覆部材１の下部に、連結帯１９を介して取着される足甲保護部材２０を具備している。足甲保護部材２０は、表て側の硬質保護片２１と、クッション性のある足甲被覆片２２とを、有している。足甲保護部材２０は、ベルト２３を足の裏に巻き付けて固定されている。また、被覆部材１の下部には、踝保護片１３を有している。踝保護片１３は、保護板５の下端縁から突出状とし、装着状態で、踝部を被覆するように形成されている。
【００１７】
上述した本発明のレッグガードの使用方法（作用）について説明する。
図１と図２に示すように、被覆部材１を下腿部３０に巻き付けて、上下の締付ベルト４０，４０によって固定する。この際、保護板５が下腿部３０の内側に偏在するように取付け、被覆片１０を、下腿部３０の外側面に密着させる。保護板５は、下腿部３０の内側面から前面を自打球の直撃から守り、また、被覆部材１は、保護板５と下腿部３０の間に介在してボールの衝撃を緩和すると共に、被覆部材１と被覆片１０によって、下腿部３０を前面から両側面にわたって保護する。
【００１８】
図５に示すように、保護板５の裏面５Ａ側に、（大きな体積の）空間部９が形成され、この空間部９が、通気孔部４によって換気され、空気が入れ替わることで熱を排出し、空間部９に新しい外気を取り込んで下腿部３０を冷却する。また、使用者の発汗による空間部９の湿度の上昇を抑制して蒸れを防止する。
装着状態で、上述のポンプ作用によって、空間部９の内部の空気が通気孔部４から押し出され、又は、新しい空気を通気孔部４から吸い込んで、熱と湿気を含んだ空気を新しい空気に入れ替える。
【００１９】
次に、本発明のレッグガードの他の実施形態について説明する。
図７と図８は、左足Ｌに右打者用のレッグガードを装着した状態を示している。
図９に示すように、右打者用のレッグガードは、上述した図３の左打者用のレッグガードの左右対称形状に構成されている。図７〜図９のレッグガードは、横断面弯曲状で縦長の硬質保護板５と、保護板５の裏面５Ａに取着される被覆部材１とを、備え、保護板５の裏面５Ａ側に於て、被覆部材１に穴部２が形成され、穴部２と裏面５Ａの露出面をもって凹所６を形成し、凹所６の左右の少なくとも一方の外端位置に、保護板５と被覆部材１を非固着状として開口部８を形成している。被覆部材１を下腿部３０に巻設した装着状態で、保護板５の裏面５Ａ側に、凹所６によって空間部９を形成し、かつ、開口部８によって、空間部９の空気の出入口となる通気孔部４が形成されている。
図１〜図３に示す左打者用レッグガードと図７〜図９に示す右打者用レッグガードは、左右対称形状となっている点を除いて、同一の構成を具備するものであるため、詳細な説明は省略する。
【００２０】
なお、本発明は、設計変更可能であって、例えば、保護板５の表て面５Ｂのリブ３５は省略しても良い。また、締付ベルト４０は、面状ファスナーを備えていても良い。
【００２１】
以上のように、本発明に係るレッグガードは、横断面弯曲状で縦長の硬質保護板５と、保護板５の裏面５Ａに取着される被覆部材１とを、備え、保護板５の裏面５Ａ側に於て、被覆部材１に穴部２が形成され、穴部２と裏面５Ａの露出面をもって凹所６を形成し、凹所６の左右の少なくとも一方の外端位置に、保護板５と被覆部材１を非固着状として開口部８を形成し、被覆部材１を下腿部３０に巻設した装着状態で、保護板５の裏面５Ａ側に、凹所６によって空間部９を形成し、かつ、開口部８によって、空間部９の空気の出入口となる通気孔部４が形成されるように構成したので、通気性を向上でき、発汗による蒸れを軽減して、違和感なく快適にプレーできる。下腿部３０と硬質保護板５との間の熱を逃がし、かつ、下腿部３０と硬質保護板５の間に外気を取り込んで、下腿部３０を冷却できる。
【００２２】
また、保護板５は、表て面５Ｂに複数の突隆部２５を有し、突隆部２５の裏面側には凹窪部２４が形成され、穴部２を除く被覆部材１の表て面と、保護板５の裏面５Ａとの間に、凹窪部２４によって、間隙部１８を形成し、装着状態で、使用者の運動に伴う被覆部材１の変形により生じるポンプ作用によって、間隙部１８の空気を押出吸引可能としたので、間隙部１８と空間部９の空気を確実に入れ替えることができ、熱を排出でき、発汗による蒸れを防止できる。
【００２３】
また、被覆部材１の左右の少なくとも一方の外側端縁１４には、上下方向に細長の被覆片１０が付設され、被覆片１０に凹状弯曲部１０Ａが形成され、凹状弯曲部１０Ａによって、被覆部材１の外側端縁１４と被覆片１０が離間した窓部１７，１７が形成されているので、下腿部３０の外側面を自打球の直撃から守ることができ、かつ、下腿部３０と被覆片１０の間に蒸れが発生するのを防止できる。
【符号の説明】
【００２４】
１  被覆部材
２  穴部
４  通気孔部
５  保護板
５Ａ  裏面
５Ｂ  表て面
６  凹所
８  開口部
９  空間部
１０  被覆片
１０Ａ  凹状弯曲部
１４  外側端縁
１７  窓部
１８  間隙部
２４  凹窪部
２５  突隆部
３０  下腿部
【図１】
0005852994.tif 000002
【図２】
0005852994.tif 000003
【図３】
0005852994.tif 000004
【図４】
0005852994.tif 000005
【図５】
0005852994.tif 000006
【図６】
0005852994.tif 000007
【図７】
0005852994.tif 000008
【図８】
0005852994.tif 000009
【図９】
0005852994.tif 000010